(57)【要約】【課題】良好な取り付け性を確保しつつ、回動用の軸部の外観への露出を抑える。【解決手段】取り付け金具３０Ｌ、３０Ｒの各取り付け片３１を鍵盤蓋１０の裏面１３の取り付け用凹部１５に埋めるように配置しネジ止めすることで、突設部３２が一対となって、取り付け後の譜面受け２０を左右方向における両側から挟む位置に突出する。次に、連結部材４０Ｌ、４０Ｒを、それぞれ取り付け金具３０Ｌ、３０Ｒの左右方向外側から仮配置する。その際、各軸部３４が、対応する軸受け穴４４に挿通されるようにする。そして、取り付け金具３０Ｌ、３０Ｒの左右の突設部３２の間に挟まれるように譜面受け２０を位置させ、複数のビス４８を、左右方向外側から、各連結部材４０の締結穴４５を介して譜面受け２０の左側部２０ａ、右側部２０ｂのネジ穴２２に対して螺合することで、連結部材４０と譜面受け２０とが締結固定される。【選択図】図２
2015230447.tif 000002
【特許請求の範囲】
【請求項１】
譜面の背面を支持する背面支持面に対して、受け面を有する譜面受けを回動自在に取り付け、前記譜面の下端を前記受け面で受けることができる使用位置から、前記受け面が前記背面支持面に対向する非使用位置までの間を、前記譜面受けが回動し得るようにする譜面受けの取り付け構造であって、
前記譜面受けを左右方向における両側から挟む位置において前記背面支持面から突設された一対の突設部と、
前記一対の突設部に対応し、各々の前記突設部の左右方向外側に位置し、前記譜面受けの左側部、右側部のそれぞれに対して締結固定される一対の連結部材と、を有し、
前記一対の突設部の各々または前記一対の連結部材の各々のいずれか一方には、左右方向に平行な軸心を有する軸部が設けられると共に、前記一対の突設部の各々または前記一対の連結部材の各々のいずれか他方には、前記軸部と同心の軸受け穴が形成され、
前記軸部の各々が、対応する前記軸受け穴の各々に挿通されるように、前記一対の連結部材を対応する前記突設部の左右方向外側に位置させた状態で、前記譜面受けを前記一対の突設部の間に位置させて、前記譜面受けの前記左側部、前記右側部に対して前記一対の連結部材を締結固定することで、前記軸部の前記軸心を中心として前記一対の連結部材と一体に前記譜面受けが回動自在になることを特徴とする譜面受けの取り付け構造。
【請求項２】
前記一対の突設部の各々または前記一対の連結部材の各々のいずれか一方には、係合部が設けられると共に、前記一対の突設部の各々または前記一対の連結部材の各々のいずれか他方には、前記係合部に対応する被係合部が設けられ、
前記譜面受けが前記使用位置と前記非使用位置までの間の回動途中位置にあるときには、前記係合部または前記被係合部の少なくともいずれかの弾性変形を伴って前記係合部と前記被係合部とが摺接し、前記譜面受けが前記非使用位置にあるときには前記係合部と前記被係合部とは、当接しないかまたは前記譜面受けが回動途中位置にあるときよりも弱く当接することを特徴とする請求項１記載の譜面受けの取り付け構造。
【請求項３】
前記譜面受けが前記使用位置にあるときには前記係合部と前記被係合部とは、当接しないかまたは前記譜面受けが回動途中位置にあるときよりも弱く当接することを特徴とする請求項２記載の譜面受けの取り付け構造。
【請求項４】
前記係合部は、前記軸心を中心とする前記被係合部の外面に対して係合し、
前記軸心から前記被係合部の前記外面までの半径方向の距離が位置によって異なり、
前記係合部は、前記譜面受けの回動途中において、前記被係合部における前記軸心からの距離が最大となる領域に対して係合することを特徴とする請求項２または３記載の譜面受けの取り付け構造。
【請求項５】
前記一対の突設部はそれぞれ左右方向に垂直な突設片であり、
前記軸部は前記突設片の各々から左右方向外側に向かって突設されたことを特徴とする請求項１〜４のいずれか１項に記載の譜面受けの取り付け構造。
【発明の詳細な説明】
【技術分野】
【０００１】
本発明は、譜面の背面を支持する部材に対して譜面受けを回動自在に取り付ける、譜面受けの取り付け構造に関する。
【背景技術】
【０００２】
従来、譜面受けの取り付け構造には、蝶番を用いた構造が広く採用される。例えば、下記特許文献１では、鍵盤蓋に接続される板部材（譜面立て）の一側の面を、譜面の背面を支持する背面支持面として利用し、譜面受けをこの背面支持面に対して蝶番を介して回動自在に取り付けている。
【先行技術文献】
【特許文献】
【０００３】
【特許文献１】特開平５−３０７３８２公報
【発明の概要】
【発明が解決しようとする課題】
【０００４】
しかしながら、上記従来の構造によると、３箇所において蝶番片のそれぞれを板部材と譜面受けとに取り付ける必要があるため、取り付け作業が簡単でない。しかも、３箇所の蝶番の軸部の軸心を正確に合わせないと、譜面受けの回動動作が円滑にならない。
【０００５】
また、製品となった鍵盤楽器においては蝶番の回動軸が露出し、外観の一部となる。蝶番の回動軸は、譜面受けの使用位置や非使用位置のいずれにおいても視認されてしまうため、外観に大きく影響する。さらに、使用位置においては、譜面受けの受け面から露出する蝶番の回動軸に譜面の下端が接触することがあるため、譜面の下端に損傷を与えるおそれもある。
【０００６】
本発明は上記従来技術の問題を解決するためになされたものであり、その目的は、良好な取り付け性を確保しつつ、回動用の軸部の外観への露出を抑えることができる譜面受けの取り付け構造を提供することにある。
【課題を解決するための手段】
【０００７】
上記目的を達成するために本発明の請求項１の譜面受けの取り付け構造は、譜面（１４）の背面を支持する背面支持面（１３）に対して、受け面（２１）を有する譜面受け（２０）を回動自在に取り付け、前記譜面の下端を前記受け面で受けることができる使用位置から、前記受け面が前記背面支持面に対向する非使用位置までの間を、前記譜面受けが回動し得るようにする譜面受けの取り付け構造であって、前記譜面受けを左右方向における両側から挟む位置において前記背面支持面から突設された一対の突設部（３２）と、前記一対の突設部に対応し、各々の前記突設部の左右方向外側に位置し、前記譜面受けの左側部（２０ａ）、右側部（２０ｂ）のそれぞれに対して締結固定される一対の連結部材（４０）と、を有し、前記一対の突設部の各々または前記一対の連結部材の各々のいずれか一方には、左右方向に平行な軸心（Ｃ１）を有する軸部（３４、１３４、２３４、３３４）が設けられると共に、前記一対の突設部の各々または前記一対の連結部材の各々のいずれか他方には、前記軸部と同心の軸受け穴（４４、１４４、２４４、３４４）が形成され、前記軸部の各々が、対応する前記軸受け穴の各々に挿通されるように、前記一対の連結部材を対応する前記突設部の左右方向外側に位置させた状態で、前記譜面受けを前記一対の突設部の間に位置させて、前記譜面受けの前記左側部、前記右側部に対して前記一対の連結部材を締結固定することで、前記軸部の前記軸心を中心として前記一対の連結部材と一体に前記譜面受けが回動自在になることを特徴とする。
【０００８】
好ましくは、前記一対の突設部の各々または前記一対の連結部材の各々のいずれか一方には、係合部（４３、１４３、２４３、３４３）が設けられると共に、前記一対の突設部の各々または前記一対の連結部材の各々のいずれか他方には、前記係合部に対応する被係合部（３３、１３３、２３３、３３３）が設けられ、前記譜面受けが前記使用位置と前記非使用位置までの間の回動途中位置にあるときには、前記係合部または前記被係合部の少なくともいずれかの弾性変形を伴って前記係合部と前記被係合部とが摺接し、前記譜面受けが前記非使用位置にあるときには前記係合部と前記被係合部とは、当接しないかまたは前記譜面受けが回動途中位置にあるときよりも弱く当接する（請求項２）。
【０００９】
好ましくは、前記譜面受けが前記使用位置にあるときには前記係合部と前記被係合部とは、当接しないかまたは前記譜面受けが回動途中位置にあるときよりも弱く当接する（請求項３）。
【００１０】
好ましくは、前記係合部は、前記軸心を中心とする前記被係合部の外面に対して係合し、前記軸心から前記被係合部の前記外面までの半径方向の距離が位置によって異なり、前記係合部は、前記譜面受けの回動途中において、前記被係合部における前記軸心からの距離が最大となる領域（３３ｒ、１３３ｒ、２３３ｒ、３３３ｒ）に対して係合する（請求項４）。
【００１１】
好ましくは、突設部の左右方向の幅を薄く設計でき、突設部を露出させにくく、視認されにくくすることができる（請求項５）。
【００１２】
なお、上記括弧内の符号は例示である。
【発明の効果】
【００１３】
本発明の請求項１によれば、良好な取り付け性を確保しつつ、回動用の軸部の外観への露出を抑えることができる。
【００１４】
請求項２によれば、譜面受けを非使用位置で安定させることができる。
【００１５】
請求項３によれば、譜面受けを使用位置で安定させることができる。
【００１６】
請求項４によれば、譜面受けを使用位置または非使用位置で安定させることができる。
【００１７】
請求項５によれば、突設部の左右方向の幅を薄く設計でき、突設部を露出させにくく、視認されにくくすることができる。
【図面の簡単な説明】
【００１８】
【図１】本発明の一実施の形態に係る譜面受けの取り付け構造が適用される鍵盤楽器の開蓋状態の斜視図であり、譜面受けが使用位置（図（ａ））、非使用位置（図（ｂ））にある状態を示す図である。
【図２】鍵盤蓋の裏面に対する譜面受けの取り付け構造を示す分解斜視図である。
【図３】取り付け金具の左側面図、上面図、正面図である。
【図４】譜面受けが非使用位置にあるときの連結部材の右側面図（図（ａ））、譜面受けが、回動途中位置にあるとき（図（ｂ））、使用位置にあるときの（図（ｃ））係合部と被係合部との関係を示す図である。
【図５】軸部と軸受け穴との関係と被係合部と係合部との関係との組み合わせの第１、第２、第３の変形例を示す斜視図（図（ａ）、（ｂ）、（ｃ））である。
【発明を実施するための形態】
【００１９】
以下、本発明の実施の形態を図面を参照して説明する。
【００２０】
図１（ａ）は、本発明の一実施の形態に係る譜面受けの取り付け構造が適用される鍵盤楽器の開蓋状態の斜視図である。この鍵盤楽器１００は電子鍵盤楽器として構成されるが、アコースティック鍵盤楽器であってもよい。
【００２１】
鍵盤楽器１００は、楽器本体１０１と鍵盤蓋１０とを有する。楽器本体１０１に鍵盤部ＫＢが設けられる。以降、左右方向については、鍵盤部ＫＢに対応して座る不図示の演奏者から見た方向で呼称する。
【００２２】
鍵盤部ＫＢは楽器本体１０１の左側板１１と右側板１２との間に配置される。鍵盤蓋１０は、鍵盤部ＫＢの後方の左右方向の軸線を回動の中心として楽器本体１０１に対して開閉可能になっている。鍵盤蓋１０は、閉蓋時に鍵盤部ＫＢを覆い、その裏面１３が鍵盤部ＫＢに対向する。鍵盤蓋１０の裏面１３は、開蓋状態において譜面１４の背面を支持する背面支持面として機能する。
【００２３】
鍵盤蓋１０の裏面１３には、板状の譜面受け２０が回動自在に支持される。譜面受け２０は左右方向に長い部材である。図１（ａ）、（ｂ）では、それぞれ、譜面受け２０が使用位置、非使用位置にある状態を示している。使用位置とは、譜面１４の下端を譜面受け２０の受け面２１で支持し得る回動位置である（図１(ａ)）。非使用位置とは、受け面２１が裏面１３に対向する回動位置である（図１（ｂ））。譜面受け２０は、使用位置と非使用位置との間を回動する。
【００２４】
図２は、鍵盤蓋１０の裏面１３に対する譜面受け２０の取り付け構造を示す分解斜視図である。
【００２５】
裏面１３には、互いに左右方向に離間した位置に一対の取り付け金具３０（３０Ｌ、３０Ｒ）が配設される。また、一対の取り付け金具３０に対応して一対の連結部材４０（４０Ｌ、４０Ｒ）が設けられる。譜面受け２０が取り付けられた状態における一対の取り付け金具３０、連結部材４０の構成はそれぞれ左右対称である。しかし、左右間で基本構成は同じであるので、左右の取り付け金具３０同士、左右の連結部材４０同士で区別しないときは、単に取り付け金具３０、連結部材４０と記し、それらの各部の構成要素には共通の符号を付す。
【００２６】
取り付け金具３０の詳細な構成は図３で述べるが、取り付け金具３０は各々１つの突設部３２を有する。取り付け金具３０Ｌ、３０Ｒのそれぞれの突設部３２が一対となって、取り付け後の譜面受け２０を左右方向における両側から挟む位置に突出するように、取り付け金具３０Ｌ、３０Ｒが裏面１３の取り付け用凹部１５に螺着固定される。
【００２７】
譜面受け２０の取り付け状態においては、連結部材４０Ｌ、４０Ｒはそれぞれ、譜面受け２０の左側部２０ａ、右側部２０ｂに対して締結固定され、且つ突設部３２Ｌ、３２Ｒの左右方向外側に位置する。
【００２８】
図３（ａ）、（ｂ）、（ｃ）は、取り付け金具３０Ｌの左側面図、上面図、正面図である。取り付け金具３０Ｌは、それぞれ板状の取り付け片３１と突設部３２とで上面視で略Ｌ字状を呈する。突設部３２は取り付け片３１に垂直な突設片である。突設部３２の、取り付け片３１からみて反対側（左側）には被係合部３３が形成され、さらに被係合部３３から円柱状の軸部３４が突設されている。軸部３４の軸心はＣ１である。取り付け金具３０Ｌの取り付け後には、軸心Ｃ１は左右方向に平行となる。
【００２９】
突設部３２は、譜面受け２０を支持するに足る剛性が必要であり、取り付け片３１及び突設部３２は金属等の丈夫な素材で一体に形成される。そして被係合部３３及び軸部３４は、突設部３２に対して溶接またはカシメにより固定される。なお、被係合部３３及び軸部３４は、取り付け片３１や突設部３２と共に一体に形成してもよい。取り付け片３１には、裏面１３の取り付け用凹部１５に固定されるための取り付け穴３５が３つ設けられる。
【００３０】
被係合部３３は、軸心Ｃ１を中心とする半径方向外面の形状が、位置によって異なる。鍵盤蓋１０の裏面１３への取り付け片３１の取り付け状態において、まず、被係合部３３の外面のうち、平坦な第１面３３ａは、裏面１３と平行で裏面１３と同じ奏者側を向く。また、平坦な第２面３３ｂは第１面３３ａ及び裏面１３の双方と垂直である。第１面３３ａと第２面３３ｂとの間にＲ形状部３３ｒが形成される。
【００３１】
軸心Ｃ１を中心とする半径方向における軸心Ｃ１からの距離については、第１面３３ａと第２面３３ｂとは同じであり、Ｒ形状部３３ｒの距離は第１面３３ａよりも長い。すなわち、軸心Ｃ１からの距離が最大となる領域をＲ形状部３３ｒは有する。なお、軸心Ｃ１の軸方向における被係合部３３の先端には面取り３３ｃが施されている。この面取り３３ｃは、取り付け金具３０と連結部材４０とを組み付ける際に被係合部３３と係合部４３とが円滑に係合するためのガイド機能を果たすものであるので、面取り３３ｃに代えてＲ形状を採用してもよい。取り付け金具３０Ｒの構成は取り付け金具３０Ｌとは左右対称であるので細部の説明を省略する。
【００３２】
図４（ａ）は、譜面受け２０及び連結部材４０が非使用位置にあるときの連結部材４０Ｌの右側面図である。図２、図４（ａ）に示すように、連結部材４０Ｌの右側部には、譜面受け２０に締結固定されるときに譜面受け２０の左側部２０ａに当接する当接面４７が複数に分かれて存在する。これにより、連結部材４０Ｌを譜面受け２０の側に固定する際に仮位置決めをしやすい。連結部材４０Ｌには、回動するときに突設部３２との干渉を避けるための逃げ部４１、４２が形成されている。非使用位置にある連結部材４０Ｌのうち鍵盤蓋１０の裏面１３に対向する側の面が対向面４６である。
【００３３】
連結部材４０Ｌには、軸部３４が挿通される軸受け穴４４が１つ形成されると共に、譜面受け２０に締結固定されるための締結穴４５が２つ形成される。軸受け穴４４に近接し、軸受け穴４４に対し対向面４６から遠い側の位置に、被係合部３３に対応する係合部４３が形成されている。係合部４３は、非使用位置にある連結部材４０Ｌにおいて、側面視で裏面１３に平行な略長方形である。
【００３４】
連結部材４０Ｌは全体が樹脂で構成されるので、係合部４３は弾性を有する。なお、係合部４３は弾性を有すればよく、連結部材４０Ｌにおける他の部分とは別の素材で係合部４３を構成してもよい。係合部４３は、このように樹脂等の弾性材に形成したとしても、弾性変形するのは主に連結部材４０Ｌの回動途中だけであるので、耐久性は十分に確保される。連結部材４０Ｒの構成は連結部材４０Ｌとは左右対称であるので細部の説明を省略する。
【００３５】
次に、一対の取り付け金具３０及び一対の連結部材４０を用いて譜面受け２０を鍵盤蓋１０の裏面１３に取り付ける手順を説明する。
【００３６】
まず、取り付け金具３０Ｌ、３０Ｒの各取り付け片３１を裏面１３の取り付け用凹部１５（図２、図４（ａ））に埋めるように配置し、取り付け穴３５（図３（ｃ））を介してネジ止めする。これにより、一対の突設部３２が、取り付け後の譜面受け２０を左右方向における両側から挟む位置において裏面１３から突出することになる。
【００３７】
次に、連結部材４０Ｌ、４０Ｒを、それぞれ取り付け金具３０Ｌ、３０Ｒの左右方向外側から仮配置する。その際、各軸部３４が、対応する軸受け穴４４に挿通されるようにする。これにより、軸受け穴４４は、軸心Ｃ１を中心とする軸部３４と同心となる。
【００３８】
そして、取り付け金具３０Ｌ、３０Ｒの左右の突設部３２の間に挟まれるように譜面受け２０を位置させ、複数のビス４８を、左右方向外側から、各連結部材４０の締結穴４５を介して譜面受け２０の左側部２０ａ、右側部２０ｂのネジ穴２２（図２に右側のネジ穴２２の図示）に対して螺合することで、連結部材４０と譜面受け２０とが締結固定される。
【００３９】
これにて、鍵盤蓋１０に対する譜面受け２０の取り付けは完了する。各連結部材４０は、軸部３４の軸心Ｃ１を中心として回動自在であり、連結部材４０に対して譜面受け２０が固定されている。従って、軸部３４の軸心Ｃ１を中心として一対の連結部材４０と一体に譜面受け２０が回動自在になる。
【００４０】
鍵盤蓋１０に譜面受け２０が取り付けられた状態では、軸部３４や被係合部３３は露出することがない。突設部３２が逃げ部４１、４２から露出するが、突設部３２は薄いためその存在はユーザからほとんど意識されない。しかも、譜面受け２０の受け面２１は連結部材４０の対向面４６と面一になるので、譜面受け２０と連結部材４０との視覚的な一体感が強く、外観は良好である。
【００４１】
譜面受け２０の回動動作については、係合部４３と被係合部３３との係合によって、使用位置と非使用位置との間の回動途中に適切な回動負荷がかかるようになっている。図４で、この回動動作を説明する。
【００４２】
図４（ｂ）、（ｃ）は、譜面受け２０が、回動途中位置にあるとき、使用位置にあるときの係合部４３と被係合部３３との関係を示す図である。
【００４３】
譜面受け２０が非使用位置にあるとき（図４（ａ））は、被係合部３３の第１面３３ａに対して係合部４３が当接しないか僅かに当接する。譜面受け２０が使用位置にあるとき（図４（ｃ））は、被係合部３３の第２面３３ｂに対して係合部４３が当接しないか僅かに当接する。譜面受け２０が回動途中位置にあるとき（図４（ｂ））は、被係合部３３のＲ形状部３３ｒに強く当接する。
【００４４】
従って、譜面受け２０が使用位置または非使用位置にあるとき、係合部４３は、被係合部３３に対して当接しないか、または譜面受け２０が回動途中位置にあるときよりも弱く当接する。回動途中では、係合部４３が弾性変形しつつ被係合部３３に対して摺接する（図４（ｂ）参照）。これにより、回動途中では回動負荷が大きくなる。さらに、譜面受け２０が使用位置から非使用位置の方向に回動しようとすると、係合部４３の弾性変形によって回動負荷が大きくなっていくから、譜面受け２０は使用位置で安定しようとする。従って、譜面受け２０を２つの安定位置にスナップストップさせることができる。譜面受け２０が非使用位置にあるときも同様であり、非使用位置で安定しようとする。なお、係合部４３と被係合部３３との間にグリス等の粘性材を介在させてもよい。
【００４５】
ところで、譜面受け２０の先端の斜面２３と連結部材４０の先端の斜面４９（図２参照）とは面一である。仮に譜面受け２０を使用位置にしたまま鍵盤蓋１０を閉じた場合でも、譜面受け２０の斜面２３及び連結部材４０の斜面４９が鍵盤部ＫＢに押されて非使用位置の方向に回動していき、閉蓋状態時には非使用位置に自動的に達する。
【００４６】
本実施の形態によれば、取り付け金具３０の軸部３４が連結部材４０の軸受け穴４４に挿通されて軸心Ｃ１を中心として連結部材４０が回動自在になり、その連結部材４０に対して譜面受け２０を左右両側から固定することで譜面受け２０の取り付けが可能である。これにより、回動機構に従来の蝶番を用いる必要がなく、譜面受け２０の取り付け作業が簡単になる。また、複数の蝶番を用いる場合等のような軸心合わせを行う必要がないので、取り付けが簡単であると共に、譜面受け２０の回動動作が円滑である。構造が簡単であるので、コスト低減にも有利である。また、回動軸となる軸部３４は軸受け穴４４に挿入されるので、蝶番の回動軸のように外観に露出することがないため、外観が向上する。よって、良好な取り付け性を確保しつつ、回動用の軸部の外観への露出を抑えることができる。
【００４７】
さらに、使用時に軸部３４に譜面１４の下端が接触することがないため、譜面１４に損傷を与えるおそれがない。また、従来の蝶番機構のように軸受け（軸部３４）が露出するようなことがなく完全被覆状態になっていて、なおかつ回動機構付近と外部とが連通する隙間（逃げ部４１等で形成される隙間）が小さいので、埃やゴミが入りにくく、譜面受け２０の円滑な回動動作を長く維持することができる。
【００４８】
また、係合部４３と被係合部３３との係合によって、回動途中では、使用位置や非使用位置よりも大きな回動負荷がかかるので、譜面受け２０を使用位置または非使用位置で安定させることができ、操作性が良い。
【００４９】
また、回動機構が譜面受け２０以外の部分に設けられたことで譜面受け２０自体の構成がシンプルになるので、譜面受け２０のメンテナンスや交換が容易である。そのため、ユーザの好みに応じたデザインの譜面受けをオーダーメイド等で取得して自身で交換することも容易である。
【００５０】
なお、係合部４３と被係合部３３のうち少なくとも一方が弾性を有すればよく、双方が弾性材で構成されてもよい。
【００５１】
なお、本実施の形態では、軸部３４を取り付け金具３０に設け、軸受け穴４４を連結部材４０に設けたが、これらの配設場所の関係を逆にしてもよい。同様に、被係合部３３を取り付け金具３０に設け、係合部４３を連結部材４０に設けたが、これらの配設場所の関係を逆にしてもよい。このような例を変形例として図５で説明する。
【００５２】
図５（ａ）、（ｂ）、（ｃ）は、軸部と軸受け穴との関係と被係合部と係合部との関係との組み合わせの第１、第２、第３の変形例を示す斜視図である。いずれも、連結部材４０は使用位置で示してある。また、代表として左側の連結部材４０と取り付け金具３０との関係を図示している。
【００５３】
まず、第１の変形例（図５（ａ））では、被係合部３３に相当する被係合部１３３、及び軸受け穴４４に相当する軸受け穴１４４を、連結部材４０に設けると共に、係合部４３に相当する係合部１４３、及び軸部３４に相当する軸部１３４を、取り付け金具３０の突設部３２に設ける。被係合部１３３には、第１面３３ａ、第２面３３ｂ、Ｒ形状部３３ｒにそれぞれ相当する、第１面１３３ａ、第２面１３３ｂ、Ｒ形状部１３３ｒが形成される。
【００５４】
連結部材４０が固定された譜面受け２０が使用位置、非使用位置にあるとき、それぞれ、第２面１３３ｂ、第１面１３３ａが係合部１４３と当接しないか僅かに当接する。譜面受け２０が回動途中位置にあるとき、係合部１４３がＲ形状部１３３ｒと強く当接する。
【００５５】
ところで、本実施の形態（図１〜図４）、及び第１の変形例（図５（ａ））では、軸部（３４、１３４）は突設部３２の各々から左右方向外側に向かって突設されるから、軸受け穴（４４、１４４）を仮に突設部３２に形成するのに比べれば、突設部３２の厚みを大きく確保しなくてもよい。そのため、突設部３２は左右方向に垂直な薄い突設片としている。突設部３２の左右方向の幅を薄く設計できることから、突設部３２を露出させにくく、視認されにくくするのに有利となっている。
【００５６】
しかし、このような効果を期待しないのであれば、図５（ｂ）、（ｃ）に例示するように、軸部を連結部材４０に設けると共に、軸受け穴を突設部に形成してもよい。
【００５７】
例えば、第２の変形例（図５（ｂ））では、被係合部３３に相当する被係合部２３３、及び軸受け穴４４に相当する軸受け穴２４４を、取り付け金具３０の突設部３２に設けると共に、係合部４３に相当する係合部２４３、及び軸部３４に相当する軸部２３４を、連結部材４０に設ける。突設部３２は、軸受け穴２４４が形成されるために第１の変形例（図５（ａ））に比し厚肉に構成される。被係合部２３３には、第１面３３ａ、第２面３３ｂ、Ｒ形状部３３ｒにそれぞれ相当する、第１面２３３ａ、第２面２３３ｂ、Ｒ形状部２３３ｒが形成される。
【００５８】
また、第３の変形例（図５（ｃ））では、軸部３４に相当する軸部３３４、及び被係合部３３に相当する被係合部３３３を、連結部材４０に設けると共に、係合部４３に相当する係合部３４３、及び軸受け穴４４に相当する軸受け穴３４４を、取り付け金具３０の突設部３２に設ける。突設部３２は、軸受け穴３４４が形成されるために厚肉に構成される。被係合部３３３には、第１面３３ａ、第２面３３ｂ、Ｒ形状部３３ｒにそれぞれ相当する、第１面３３３ａ、第２面３３３ｂ、Ｒ形状部３３３ｒが形成される。
【００５９】
第１〜第３の変形例（図５（ａ）〜（ｃ））において、上記したようなスナップストップの機能は、係合部１４３、２４３、３４３をバネ材で形成したり、あるいは、第１面１３３ａ、２３３ａ、３３３ａを硬質弾性樹脂（ゴム材等）で形成したりすることによって実現可能である。
【００６０】
なお、上記実施の形態または変形例において、一対の突設部３２は、取り付け金具３０の一部として形成することは必須でなく、その突設態様は問わない。例えば、突設部３２を鍵盤蓋１０の裏面１３に直接突設してもよい。また、突設部３２が突設される部位は、鍵盤蓋１０の裏面１３に限定されず、譜面１４の背面を支持する背面支持面であればよい。従って、本発明の適用対象は楽器に限られず、独立した譜面台装置であってもよい。
【００６１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６２】
１０  鍵盤蓋、  １３  裏面、  １４  譜面、  ２０  譜面受け、  ２０ａ  左側部、  ２０ｂ  右側部、  ２１  受け面、  ３０  取り付け金具、  ３１  取り付け片、  ３２  突設部、  ４０  連結部材、  ３３、１３３、２３３、３３３  被係合部、  ３３ａ、１３３ａ、２３３ａ、３３３ａ  第１面、  ３３ｂ、１３３ｂ、２３３ｂ、３３３ｂ  第２面、  ３４、１３４、２３４、３３４  軸部、  ４３、１４３、２４３、３４３  係合部、  ４４、１４４、２４４、３４４  軸受け穴、  Ｃ１  軸心
【図１】
2015230447.tif 000003
【図２】
2015230447.tif 000004
【図３】
2015230447.tif 000005
【図４】
2015230447.tif 000006
【図５】
2015230447.tif 000007